(57)【要約】【課題】利用者の体格や利用状況に関係なく簡単かつ適切に引き出しを出し入れできるようにするとともに、部品点数の削減及び更なる収納スペースの増大を図る。【解決手段】収納具本体（図示略）の開口に奥行き方向にスライド移動して出し入れ可能な１又は複数の引き出し２を設け、その引き出し２の前面側を構成する鏡板２１の上縁部２ａまたは下縁部に沿って略全域に亘る引手３が設けられる収納具の引手３の両端部近傍において、引き出し２を収納具本体１に係留する一対のラッチ機構４を分割して設け、各々のラッチ機構４を引手３を介して同期作動可能に連結した。【選択図】図４
2004089220.tif 000002
【特許請求の範囲】
【請求項１】
収納具本体の開口に奥行き方向にスライド移動して出し入れ可能な１又は複数の引き出しを設け、その引き出しの前面側を構成する鏡板の上縁部または下縁部に沿って略又は完全に全域に亘る引手が設けられるものであって、
その引手の両端部近傍において引き出しを収納具本体に係留する一対のラッチ機構を分割して設け、各々のラッチ機構を引手を介して同期作動可能に連結したことを特徴とする収納具。
【請求項２】
前記各ラッチ機構の係留状態を、前記引手の回転動作によって解除するように構成していることを特徴とする請求項１記載の収納具。
【請求項３】
前記ラッチ機構を、前記引手の両端部近傍においてユニット化して設けていることを特徴とする請求項１又は２記載の収納具。
【請求項４】
前記ラッチ機構を、ラッチ機構をロックするロック機構を含めてユニット化していることを特徴とする請求項３記載の収納具。
【請求項５】
前記ラッチ機構が、前記引手の回転軸に対して略垂直な軸を中心に回転可能な第１回転アームと、引手の回転軸に対して略平行な軸を中心に回転可能な第２回転アームと、第１回転アームの先端部に支持され収納具本体の一部と係留する係留爪と、引手に取り付けられ引手の回転動作を第２回転アームに伝達する伝達部材とを具備し、第２回転アームの基端部及び先端部を前記引手に対し略垂直方向に上下に各々折り曲げ成形し、当該基端部を伝達部材の一部に当てるとともに、当該先端部を前記引手に対し略平行方向に折り曲げ成形した前記第１回転アームの基端部に当て、引手の回転動作に連動して、伝達部材、第２回転アーム及び第１回転アームを作動させて前記係留爪を駆動し得るように構成したことを特徴とする請求項１、２、３又は４記載の収納具。
【請求項６】
前記引手の回転軸が、引手に取り付けられる前記伝達部材を回転可能に支持する回転軸であり、当該回転軸を引手の両端部近傍において略同一線上に位置するように設けたものであることを特徴とする請求項５記載の収納具。
【請求項７】
前記引手と前記鏡板との間に、引手の回転動作時に引手が鏡板と干渉しないように空間を設けるとともに、引手に操作力が掛からない状態において当該空間を隠蔽する目隠し部を引手に一体に設けたものであることを特徴とする請求項１、２、３、４、５又は６記載の収納具。
【請求項８】
前記引手が、押し出し成形によって形成されていることを特徴とする請求項１、２、３、４、５、６又は７記載の収納具。
【請求項９】
前記第１回転アームが弾性部材に接続されているとともに、この弾性部材が、前記第１回転アームに対して、前記係留爪が前記被係留部に向けて移動する方向に作用していることを特徴とする請求項１、２、３、４、５、６、７又は８記載の収納具。
【請求項１０】
前記鏡板を、後方に開口した前枠材と前方に開口した後枠材とを連結して形成しているとともに、これら前枠材と後枠材との間の空間に前記ラッチ機構を配置していることを特徴とする請求項１、２、３、４、５、６、７、８又は９記載の収納具。
【発明の詳細な説明】
【０００１】
【発明の属する技術分野】
本発明は、収納具本体の開口に出し入れ可能な引き出しの一部に設けた引手と、この引き出しを収納具本体に係留するラッチ機構とを有する収納具に関する。
【０００２】
【従来の技術】
従来、例えば、収納具本体の収納空間に出し入れ可能に収納される引き出しの左右両端部にそれぞれラッチ機構を設け、このラッチ機構により引き出しを収納具本体に係留し、地震発生時や家具移動時などに引き出しが不慮に移動する事態を防止することが考えられている。このようなラッチ機構の構成としては、従来、左右のラッチ機構をロッド等を有する連動機構を介して連結するとともに、その連動機構を操作すべく引き出しの前面側を構成する鏡板の巾方向ほぼ中央部に操作用の引手を設け、この引手を操作することにより、連動機構を介して左右のラッチ機構を同期作動させるものが考えられている。
【０００３】
【発明が解決しようとする課題】
ところが、このような構成のものであると、収納具における操作用の引手の位置が限定されているため、利用者の体格や利用状況によって使い勝手の悪い場合がある。例えば、通路隅部にこのような引き出しを設けている場合に、このような引き出しの引手は引き出しの幅方向中央部に位置し、さらにこの引手がアウターハウジングの内部に収納されていることが多く、引手を操作するには引き出しの幅方向中央部の前まで移動しなければならない。このとき、人によっては面倒くさく感じるなど心理的な負担につながり得る。また、複数段を積み重ねる形式の引き出しでは、最下段の引き出しの引手を操作する際にはかがんだ姿勢で引手を把持して操作する必要があることが多いが、引手は引き出しの上縁部でなく上縁部から所定距離だけ下方に位置しているとともに、下方から手ないし指を入れて操作するようにしていることが多いので、その分だけ手を下方に位置させる必要があり、開口を開閉する際に無理な姿勢を強いられるといった不便さを伴うものとなる。
【０００４】
さらに、鏡板の内部にラッチ機構を連結する連動機構を配置しなければならないため、鏡板の内部における部品点数が多く構造が大掛かりなものとなり、製作工程が煩雑になり易い。
【０００５】
本発明は以上に述べた課題を解決すべく、引手の操作によって、引手の両端部に設けたラッチ機構を同期作動させるとともに、利用者の体格や利用状況によらず引き出しの開閉を簡単にすることができ、さらに構造が簡単な収納具を提供するものである。
【０００６】
【課題を解決するための手段】
すなわち、本発明の収納具は、収納具本体の開口に奥行き方向にスライド移動して出し入れ可能な１又は複数の引き出しを設け、その引き出しの前面側を構成する鏡板の上縁部または下縁部に沿って略全域に亘る引手が設けられるものであって、その引手の両端部近傍において引き出しを収納具本体に係留する一対のラッチ機構を分割して設け、各々のラッチ機構を引手を介して同期作動可能に連結したことを特徴とする。
【０００７】
このような構成のものであれば、引手のどこを持って操作してもラッチ機構を同期作動させることができるとともに、引手を鏡板の上縁部または下縁部に沿って設けているので、利用者の体格や利用状況に依拠することなく簡単かつ適切に引き出しを出し入れすることが可能となる。すなわち、一例として、通路隅部に設けた引き出しの中央部の前まで移動することなくより手前の位置で引き出しを開閉操作できるようにして心理的負担を軽減することや、複数段を積み重ねる形式での最下段の引き出しの引手を鏡板の上縁部に設けるとともに上から手を入れて操作できるようにし、かがむ角度を少なくするようにすること等ができるようになる。しかも、引手が一対のラッチ機構の連動機能を兼ねるため、別途にラッチ機構同士を連結するロッドを鏡板の内部に設ける必要がないので、部品点数を削減することができ、構造の簡略化やコストダウンを図ることが可能となる。また、当該鏡板の内部において、部品が配置されない空間が従来のものより広く形成されるため、当該空間を開放して何らかの空間として有効利用することができる。
【０００８】
より簡単な操作によって、収納具本体の開口を開閉できるようにするためには、前記各ラッチ機構の係留状態を、前記引手の回転動作によって解除するように構成すればよい。
【０００９】
また、前記ラッチ機構を、前記引手の両端部においてユニット化して設けているものであれば、各ラッチ機構を比較的コンパクトなものにすることが可能となり、製作工程の簡素化を図ることができ、各ラッチ機構の精度を向上させることができる。さらに、当該ラッチ機構を引手の両端部近傍に対にして配置させるだけでよいため、ロッド棒を組み込む場合の引手の位置に合わせてロッド棒の長さを調整する工程及びロッド棒を組み込む際のむりばめの工程も必要なくなるので、この点からも製作工程の簡素化を図ることができる。
【００１０】
さらに、前記ラッチ機構を、ラッチ機構をロックするロック機構を含めてユニット化しているものであれば、収納空間の前面開口を閉止した状態でロック機構を利用して引手の動作をロックすることができ、誤作動を防止することができる。しかも、ラッチ機構に対するロック機構の係わり合い構造をどの位置においても共通化することができ、ロック機構の仕様を無理なく容易に変更、増加することが可能である。
【００１１】
具体的な構成としては、前記ラッチ機構が、前記引手の回転軸に対して略垂直な軸を中心に回転可能な第１回転アームと、引手の回転軸に対して略平行な軸を中心に回転可能な第２回転アームと、第１回転アームの先端部に支持され収納具本体の一部と係留する係留爪と、引手に取り付けられ引手の回転動作を第２回転アームに伝達する伝達部材とを具備し、第２回転アームの基端部及び先端部を前記引手に対し略垂直方向に上下に各々折り曲げ成形し、当該基端部を伝達部材の一部に当てるとともに、当該先端部を前記引手に対し略平行方向に折り曲げ成形した前記第１回転アームの基端部に当て、引手の回転動作に連動して、伝達部材、第２回転アーム及び第１回転アームを作動させて前記係留爪を駆動し得るように構成したものが挙げられる。このようなものであれば、前述のとおりラッチ機構を比較的コンパクトなものとすることができとともに、引手を操作しない場合には、回転動作が生じないため係留爪を収納具本体に係留させることができる一方、引手の回転動作が生じた場合には、伝達部材によって、その回転動作が第２回転アーム及び第１回転アームに伝達され、係留爪の係留状態を解除することができる。
【００１２】
また、前記引手の回転軸が、引手に取り付けられる前記伝達部材を回転可能に支持する回転軸であり、当該回転軸を引手の両端部近傍において略同一線上に位置するように設けたものであれば、ラッチ機構を分離させてなるものであっても、回転軸同士を略同一線上になるように位置決めするだけで引手の回転動作を安定したものにすることができる。
【００１３】
このような構成において、前記引手と前記鏡板との間に、引手の回転動作時に引手が鏡板と干渉しないように空間を設けるとともに、引手に操作力が掛からない状態において当該空間を隠蔽する目隠し部を引手に一体に設けたものものとすると、より安定した引手の回転動作を実現することができるとともに、引手に操作力が掛からない状態においては収納具の前面側上方の外観を損なうことがない。
【００１４】
また、前記引手が、押し出し成形によって形成されているものであれば、簡単に引手を成形することができ、上述した製作工程の簡素化の効果を一層有効に高めることができる。
【００１５】
そして、前記第１回転アームが弾性部材に接続されているとともに、この弾性部材が、前記第１回転アームに対して、前記係留爪が前記被係留部に向けて移動する方向に作用しているものであれば、この弾性部材の作用により前記係留爪を前記被係留部により確実に係留させることができるので、引き出しをより安定して収納具本体に係留しておくことができる。
【００１６】
加えて、前記鏡板を、後方に開口した前枠材と前方に開口した後枠材とを連結して形成しているとともに、これら前枠材と後枠材との間の空間に前記ラッチ機構を配置しているものであれば、これら前枠材と後枠材とにより前記ラッチ機構を外部から略完全に隠蔽して見栄えを整えることができる。また、このように構成すると、後枠材によりラッチ機構が引き出しの中身に触れないようにできるので、前記ラッチ機構が引き出しの中身と干渉して誤作動することを防ぐこともできる。
【００１７】
なお、本実施形態では、使用者に向かう方向を前方としている。
【００１８】
【発明の実施の形態】
以下、本発明の一実施形態を、図面を参照して説明する。
【００１９】
この収納具Ｓは、図１及び図２に示すように、収納空間を形成する収納具本体１と、この収納具本体１の開口に奥行き方向にスライド移動して出し入れ可能な引き出し２と、引き出し２の前面側を構成する鏡板２１の上縁部２ａに沿って全域に亘って外部に露出して設けた引手３とを備えているものである。なお、本実施形態では、引き出し２は３つ備えている。図１には引き出し２を全て収納した状態、図２には最下段の引き出し２を前方にスライド移動させた状態をそれぞれ示している。また、本実施形態では、収納具Ｓは左右対称である。
【００２０】
収納具本体１は、前面を開口させた筐状のものであり、開口部に前記引き出し２を収納するようにしている。本実施形態では、この収納具本体１の開口部には前記引き出し２を３つ収納するようにしていて、開口内部には引き出し２を奥行き方向にスライド移動させる際の移動方向の案内及び引き出し２の高さ方向の位置決めを行うための図示しない案内部が設けてある。
【００２１】
引き出し２は、図２に示すように、前面側を構成する鏡板２１と、この鏡板の対向位置に設けた背板２２と、鏡板２１及び背板２２をそれぞれ側方から保持する１対の側板２３と、この引き出し２の底を形成する底板２４とを有し、上方に開口して上方から物品の出し入れを行うようにしている。前記鏡板２１は、図３に示すように、後方に開口した前枠材２１ａと前方に開口した後枠材２１ｂとを連結して形成していて、連結した状態でこれら前枠材２１ａと後枠材２１ｂとの間に空間が形成されるようにしている。そして、前記収納具本体１の案内部と係合する図示しない被案内部を設けていて、前記収納具本体１に対して奥行き方向にスライド移動可能に構成している。
【００２２】
引手３は、引き出し２の鏡板２１を構成する前枠材を取り除いた状態の正面図、側面図、及び平面図を図４に示すように、引き出し２の上縁２ａに取り付けられていて、例えば合成樹脂素材を押し出し成形して、左端から右端に亘って前面側に開口する凹部３１と、一方の側面に高さ方向及び奥行方向に同時に延びる傾斜面３２と、目隠し部３３とを一体に形成したものである。凹部３１は、その一部に指先を掛けて操作できるように標準的な成人の指先が十分に入るスペースを有するものである。また、目隠し部３３は、引手３の底面と鏡板２１の上面との間に引手３の回転動作時に引手３が鏡板２１に干渉しないように設けた空間を隠蔽するものである。
【００２３】
しかして本実施形態では、このような構成を有する引手３の左右端部近傍において引き出し２を収納具本体１に係留する一対のラッチ機構４を分割して設け、各々のラッチ機構４を回転動作をする引手３によって同期作動可能に連結している。
【００２４】
具体的には、このラッチ機構４は、斜視図を図５、正面図を図６、側面図を図７、平面図を図８にそれぞれ示すように、前記引手３の回転軸に対して略垂直な軸を中心に回転可能な第１回転アーム４１と、引手３の回転軸に対して略平行な軸を中心に回転可能な第２回転アーム４２と、第１回転アーム４１の先端部に支持され収納具本体１に設けた図示しない被係留部と係留する係留爪４３と、引手３に伝達部材軸４４０を中心に回転可能に固定して取り付けられ引手３の回転動作を第２回転アーム４２に伝達する伝達部材４４とを具備する。また、このラッチ機構４は、前記鏡板２１を構成する前記前枠材２１ａと前記後枠材２１ｂとの間の空間に配置している。なお、引手３はこの伝達部材４４に固定されているので、請求項中の引手３の回転軸は、本実施形態では前記伝達部材回転軸４４０である。
【００２５】
第１回転アーム４１は、引き出し２の左右両前端部に第１回転アーム取付具４１１を介して取り付けられていて、前記伝達部材回転軸４４０に対して略垂直に延びる本体の上端部から前記伝達部材回転軸４４０に対して略水平な水平部４１ａを延ばし、本体の中心軸を中心に回転可能に構成している。前記第１回転アーム取付具４１１は、後方に開口した略筐状のもので、その上面をなす上面板４１１ａに第１回転アーム４１を貫通させている。また、開口内部に、上面４１１ａ及び下面に対向して押さえ板４１１ｂを設けていて、この押さえ板４１１ｂにも第１回転アーム４１を貫通させている。そして、後述するように、この第１回転アーム４１の下端部には係留爪４３が取り付けられている。
【００２６】
第２回転アーム４２は、前記引手３の回転軸３０に対して略水平に延びる本体と、前記本体の一端から下方に略鉛直に延びる第１回転アーム接続部４２ａと、前記本体の他端から上方に略鉛直に延びる伝達部材接続部４２ｂと有し、鏡板２１の後枠材２１ｂに設けられた基板４５に取り付けられた第２回転アーム取付具４２１により前記本体の中心軸を中心に回転可能に支持されている。そして、第１回転アーム接続部４２ａが前記第１アーム４１の水平部４１ａに接しているとともに、伝達部材接続部４２ｂが前記伝達部材４４に接するようにしている。また、前記第２回転アーム取付具４２１は、平面視コの字状をなすチャネル状の部材であり、本体４２１ａの左右両端から起立板４２１ｂを起立させて設けている。そして、本体４２１ａを基板４５に固定しているとともに、前記起立板４２１ｂには第２回転アーム４２を貫通させる図示しない回転アーム取付孔を設けている。なお、本実施形態では、前記第２回転アーム取付具４２１と伝達部材接続部４２ｂとの間の部分を前方に屈曲させ、伝達部材４４により確実に接するようにしている。
【００２７】
係留爪４３は、基端部を第１回転アーム４１の下端部に固定して取り付けているとともに、先端部が後方に突出するように設定している。そして、その先端部に前記被係留部と係合する爪本体４３ａを形成している。なお、本実施形態では前記第１回転アーム４１は、弾性部材たる図示しないねじりコイルバネに接続していて、このねじりコイルバネは、前記係留爪４３を前記収納具本体１に設けた被係留部に向けて移動する方向に作用している。なお、前記鏡板２１の後枠材２１ｂには、図３に示すようにこの係留爪４３を挿し通すことができる係留爪挿通孔２１ｓを設けている。
【００２８】
伝達部材４４は、前記鏡板２１と略対向しているとともに第２回転アーム４２に接している本体４４ａと、左右両端部に位置し、鏡板２１から略垂直に起立しているとともに鏡板２１に設けられた伝達部材回転軸４４０を挿し通す図示しない軸挿通孔を有する左右１対の起立板４４ｂと、この起立板４４ｂの上端からそれぞれ相寄る方向に屈曲して設けられ、引手３に固定するためのねじを挿し通すねじ挿通孔４４ｘを有する固定部４４ｃとを有し、前記伝達部材回転軸４４０を中心に回転可能に取り付けられている。また、左右両端部の前記伝達部材回転軸４４０は、略同一線上に位置するように設けている。この伝達部材回転軸４４０は、回転軸取付部材４４１を介して前記基板４５に取り付けられている。この回転軸取付部材４４１は、本体４４１ａの左右両端から起立板４４１ｂを起立して設けた平面視コの字状をなすチャネル状の部材であり、前記本体４４１ａを前記基板４５に固定するとともに、前記起立板４４１ｂに前記伝達部材回転軸４４０を突出させて設けている。なお、図６では、前記前枠材２１ａ及び前記伝達部材４４の本体４４ａを取り除いた状態を示している。
【００２９】
本実施形態では、このようにユニット化したラッチ機構４を前記図４に示すように引き出し２の左右端部に取り付けている。
【００３０】
まず、引き出し２の左右両前端部に前記第１回転アーム取付具４１１を介して前記第１回転アーム４１及び前記係留爪４３を取り付ける。次いで、前記第２回転アーム４２を、その第１回転アーム接続部４２ａが前記第１回転アーム４１の水平部４１ａの後方に接するように、第２回転アーム取付具４２１を介して引き出し２に取り付ける。そして、伝達部材４４を、その下端部が前記第２回転アーム４２の伝達部材接続部４２ｂの前方に接するように引手３に取り付ける。
【００３１】
次に、このような構成を有する収納具Ｓの作動を図５及び図９を参考に説明する。
【００３２】
まず、前記引き出し２が前記収納空間に収納されている状態において、引き出し２の引手３に設けた凹部３１を利用して引手３を手前に引くように操作すると、引手３と、その上下端部に設けた各伝達部材４４とが、一体的に伝達部材回転軸４４０を支点に図５に示す矢印の方向へ回転動作を行う。すると、その回転動作に連動して、第２回転アーム４２の伝達部材接続部４２ｂが後方に押し出され、第２回転アーム４２が本体を軸に回転して第１回転アーム接続部４２ａが前方へ移動する。そして、第１回転アーム４１の水平部４１ａが第１回転アーム接続部４２ａに押し出されて移動し、第１回転アーム４１は本体の中心軸を中心に回転する。その結果、図９に示すように第１回転アーム４１に固定して取り付けられている係留爪４３が第１回転アーム４１とともに回転して収納具本体１から離間する方向に移動して、左右の各係留爪４３の被係留部に対する係留状態を同時に解除する。そして、引き続き引き出し２を手前側に引くことにより引き出し２が収納空間から前方にスライド移動し、引き出し２への物品の出し入れができるようになる。
【００３３】
また、収納空間に前記引き出し２を収納する場合には、上記と逆の操作を行えばよい。すなわち引き出し２をスライド移動させて奥に押し込むだけでよい。この状態においては、係留爪４３が被係留部に係留しているため、地震発生時や家具移動時などに引き出し２が不慮に移動する事態が確実に防止される。加えて、前記ねじりコイルバネが、前記第１回転アーム４１に対して、前記係留爪４３が前記被係留部に向けて移動する方向に作用しているので、係留爪４３は被係留部に確実に係留している。なお、図５及び図９において、引き出し２の鏡板２１の前枠材２１ａは取り除いて示しているとともに、後枠材２１ｂを想像線により示している。
【００３４】
以上に述べたように、本実施形態に係る収納家具は、引き出し２の前面側を構成する鏡板２１の上縁部２ａに沿って略全域に亘って引手３を設け、その引手３の両端部近傍において引き出し２を収納具本体１に係留する一対のラッチ機構４を分割して設け、各々のラッチ機構４を引手３を介して同期作動可能に連結しているため、引手３のどこを持って操作してもラッチ機構４を同期作動させることができ、利用者の体格や利用状況（最下段の引き出し２を使用する場合や通路隅部の引き出しを使用する場合等）によらず簡単かつ適切に引き出し２をスライド移動させて出し入れすることが可能となる。しかも、引手３が一対のラッチ機構４の連動機能を兼ねるため、別途にラッチ機構４同士を連結するロッドを引き出し２の内部に設ける必要がないので、部品点数を削減することができ、構造の簡略化やコストダウンを図ることが可能となる。また、当該引き出し２の内部において、部品が配置されない空間が従来のものより広く形成されるため、当該空間を開放して何らかの空間として有効利用することができる。例えば、鏡板内部に吸音材をより多く挿入することができる。さらに、部品が配置されない空間が従来のものより広く形成されることから、鏡板２１の前枠材２１ａ及び後枠材２１ｂにパンチング孔を設ける際の自由度の向上を図ることもできる。
【００３５】
さらに、前記各ラッチ機構４の係留状態を、前記引手３の回転動作によって解除するように構成しているため、簡単な操作によって引き出し２を出し入れすることができる。
【００３６】
また、前記ラッチ機構４を、前記引手３の両端部においてユニット化して設けているので、各ラッチ機構４を比較的コンパクトなものにすることが可能となり、製作工程の簡素化を図ることができ、各ラッチ機構４の精度を向上させることができる。また、当該ラッチ機構４を引手３の両端部近傍に対にして配置させるだけでよいため、ロッド棒を鏡板２１内部に設ける場合の長さの調整やむりばめの工程を省略でき、この点からも製作工程の簡素化を図ることができる。
【００３７】
加えて、前記引手３に一体的に取り付けた伝達部材４４を回転可能に支持する伝達部材回転軸４４０を、前記引手３の両端部近傍において略同一線上に位置するように設けるため、ラッチ機構４を分離させてなるものであっても引手３の回転動作を安定したものにすることができる。
【００３８】
また、前記引手３と前記鏡板２１との間に、引手３が鏡板２１の縁部に干渉しないように回転し得る空間Ｓを設けるとともに、引手３の閉止状態において当該空間Ｓを隠蔽する目隠し部３３を引手に一体に設けているので、より安定した引手３の回転動作を実現することができるとともに、閉止状態においては収納具Ｓの前面側の外観を損なうことがない。
【００３９】
さらに、前記引手３が、押し出し成形によって形成されているため、簡単に引手３を成形することができ、上述した製作工程の簡素化の効果を一層有効に高めることができる。
【００４０】
加えて、前記ラッチ機構４を、前記鏡板２１を構成する前記前枠材２１ａと前記後枠材２１ｂとの間に配置しているので、通常の使用状態においてこれら前枠材２１ａと後枠材２１ｂとにより前記ラッチ機構４を外部から隠蔽して見栄えを整えることができる。また、このように構成することにより、前記ラッチ機構４が引き出し２の中身と干渉して誤作動することを防ぐこともできる。
【００４１】
そして、引手３を、通常のこの種の引き出しの引手と異なり鏡板２１の上縁部２ａに沿って外部に露出して配置しているので、アウターハウジングが必要でなくなり、この点からも部品点数を削減できる。また、引手３を外部に露出するようにしているので、引手３を鏡板２１の上縁部２ａの全域に亘って設ける構成を実現できる。
【００４２】
なお、本発明は、以上に詳述した実施形態に限られるものではない。
【００４３】
例えば、図１０に示すように、ラッチ機構４を、ラッチ機構４をロックするロック機構５を含めてユニット化しているものであっても構わない。このようなこのであれば、収納空間の前面開口を閉止した状態でロック機構５を利用して引手３の動作をロックすることができ、誤作動を防止することができる。しかも、ラッチ機構４に対するロック機構５の係わり合い構造をどの位置においても共通化することができ、ロック機構５の仕様を無理なく容易に変更、増加することが可能である。
【００４４】
また、透明又は半透明のガラスを鏡板に取り付けても構わない。この場合、収納空間に収納されている収納物を視認することができる開口を広く得ることが可能となり、特に引き出し内部に化学薬品を収納する用途等に好適に使用することができる。
【００４５】
さらに、鏡板のうち後枠材は省略しても構わない。この場合でも前枠材に引手の回転軸、第１回転アーム取付具、及び第２回転アーム取付具を設けて、ラッチ機構を上述した実施の形態と同様に作用させることができ、この場合引き出しの内容物とラッチ機構が干渉する場合や引き出しを引き出した状態でラッチ機構が使用者の目に触れる場合があり得るものの、部品点数を削減できる。
【００４６】
そして、ねじりコイルバネ等の弾性部材を第１回転アームに接続する替わりに、係留爪を弾性力を有する材料により形成するとともに、係留爪の弾性力により係留爪自体を被係留部に押し付けるように構成するようにしてもよい。この場合でも、弾性部材が第１回転アームを介して係留爪に与える作用に替えて、係留爪自体の弾性力により駆動手段を第１回転アームに接続した場合と略同様の効果が得られる。
【００４７】
加えて、引手は鏡板の下縁部に沿って設けてもよい。この場合でも、鏡板の下縁部の略又は完全に全域に沿って引手を設けることができ、通路隅部に設けた引き出しを操作する際の心理的負担感を減少させること等は可能である。さらに、引手を外部に露出して配置すれば、上縁部の全域に完全に沿うようにできる。一方、引手は鏡板の下縁部又は上縁部の完全に全域に沿うものでなくても、略全域に沿っているものであれば同様の効果が得られる。
【００４８】
その他、各部の具体的構成についても上記実施形態に限られるものではなく、本発明の趣旨を逸脱しない範囲で種々変形が可能である。
【００４９】
【発明の効果】
以上説明したように本発明によれば、引手のどこを持って操作してもラッチ機構を同期作動させることができ、利用者の体格や利用状況に関係なく簡単かつ適切に引き出しを出し入れすることが可能となる。しかも、引手が一対のラッチ機構の連動機能を兼ねるため、別途にラッチ機構同士を連結するロッドを扉の内部に設ける必要がないので、部品点数を削減することができ、構造の簡略化やコストダウンを図ることが可能となる収納具を提供することができる。
【図面の簡単な説明】
【図１】本発明の一実施形態に係る収納具の全体斜視図。
【図２】同実施形態における収納具の最下段の引き出しを引き出した状態を示す全体斜視図。
【図３】同実施形態における鏡板の分解斜視図。
【図４】同実施形態における引き出しの前枠材を取り外した状態を示す正面図、側面図、及び平面図。
【図５】同実施形態におけるラッチ機構付近の拡大斜視図。
【図６】同実施形態におけるラッチ機構付近の正面図。
【図７】同実施形態におけるラッチ機構付近の側面図。
【図８】同実施形態におけるラッチ機構付近の平面図。
【図９】同実施形態における作用説明図。
【図１０】本発明の他の実施形態に係る収納具の全体斜視図。
【符号の説明】
Ｓ…収納具
１…収納具本体
２…引き出し
２１…鏡板
２１ａ…前枠材
２１ｂ…後枠材
３…引手
４…ラッチ機構
４１…第１回転アーム
４２…第２回転アーム
４３…係留爪
４４…伝達部材
４４０…伝達部材回転軸（引手の回転軸）
５…ロック機構
【図１】
2004089220.tif 000003
【図２】
2004089220.tif 000004
【図３】
2004089220.tif 000005
【図４】
2004089220.tif 000006
【図５】
2004089220.tif 000007
【図６】
2004089220.tif 000008
【図７】
2004089220.tif 000009
【図８】
2004089220.tif 000010
【図９】
2004089220.tif 000011
【図１０】
2004089220.tif 000012